(57)【要約】【課題】大型化を招くことなく、送信部と受信部のクロストークを減少させることが可能な光送受信モジュールを提供する。【解決手段】光送受信モジュール１１Ａは、基板５２上に複数の光送信器３１と光受信器４２を備え、複数の光送信器３１から光ファイバ３２を介して送信される複数の波長の光信号を合波器３３で合波して送信し、受信した複数の波長の光信号を分波器４０で分波して光ファイバ４１を介して複数の光受信器４２で受信するものであって、光送信器３１と合波器３３の間、及び光受信器４２と分波器４０との間に、ガイドローラ６１が設けられ、ガイドローラ６１に光ファイバ３２，４１の余長が案内されている。【選択図】図５
2012063460.tif 000002
【特許請求の範囲】
【請求項１】
基板上に複数の光送信器と光受信器を備え、前記複数の光送信器から光ファイバを介して送信される複数の波長の光信号を合波器で合波して送信し、受信した複数の波長の光信号を分波器で分波して光ファイバを介して前記複数の光受信器で受信する光送受信モジュールであって、
前記光送信器と前記合波器の間、及び前記光受信器と前記分波器との間に、余長調整部材が設けられ、前記光ファイバの余長が前記余長調整部材に案内されていることを特徴とする光送受信モジュール。
【請求項２】
請求項１に記載の光送受信モジュールであって、
前記複数の光送信器と前記複数の光受信器とは、互いに前記基板の反対側に配置されていることを特徴とする光送受信モジュール。
【請求項３】
請求項１または２に記載の光送受信モジュールであって、
前記複数の光送信器及び前記複数の光受信器の少なくとも一方は、前記光送信器または前記光受信器に接続された電子デバイスを中心とした円弧状に配置されていることを特徴とする光送受信モジュール。
【請求項４】
請求項１から３の何れか一項に記載の光送受信モジュールであって、
前記余長調整部材は、前記光ファイバを巻き付け可能なガイドローラであることを特徴とする光送受信モジュール。
【発明の詳細な説明】
【技術分野】
【０００１】
本発明は、光トランシーバシステム等に用いられる光送受信モジュールに関する。
【背景技術】
【０００２】
光トランシーバシステムは、ホストシステムに挿抜可能な光送受信モジュールである光トランシーバを備えており、この光トランシーバは、ホストシステムのポートに挿入して、電気コネクタを接続することにより、ホストシステムとの間でのデータの送受、電源の供給等の機能が確立される（例えば、特許文献１参照）。
【０００３】
近年、１０Ｇ超波長多重の大容量の光送受信モジュールが市場から要求されているが、受光素子から出力される数１０ｍＶ程度の微小振幅の受信信号は、送信データを数Ｖ程度の大きな振幅で駆動するＬＤドライバからのクロストークの影響を受けて受信感度が劣化する。クロストーク量は周波数が高くなるほど、かつ送受信部同士が近づくほど大きくなるため、ビットレートの高速化、光送受信器の小型化に伴って顕在化し、これを如何に低減させるかが回路設計及び実装設計における課題となっている。これと同時に、回路の複雑化、小型化も要求されており、如何に省スペースに設計をするかも重要になっている。
【０００４】
クロストークを低減させる技術としては、電気−光変換部を介して送信されるデータＡの変化点と光−電気変換部を介して受信されたデータＢの変化点との位相差Ｖ１を検出する位相比較器と、検出した位相差Ｖ１が、送受信部間のクロストークによる受信感度劣化を最小にする値Ｖ０に等しくなるように送信データＡを遅延制御する遅延制御器及び可変遅延回路とで構成し、送受信部間のクロストーク量を抑えるものが知られている（例えば、特許文献２参照）。
【０００５】
また、受信部の前置増幅器又は自動利得増幅器の出力信号に重畳された高周波雑音成分を検出して、送信部の信号に含まれる高周波成分を抑圧することにより、送信部から受信部に結合する高周波雑音成分を低減し、送信部と受信部とを一体化した時のクロストークの影響を低減する技術も知られている（例えば、特許文献３参照）。
【０００６】
さらに、入力される電気データ信号を２つに分岐し、分岐された一方の電気データ信号を光信号に変換して送信し、分岐された他方の電気データ信号を電気クロストークの周波数特性とほぼ等しい周波数特性を有する周波数特性調整回路により周波数調整し、光ファイバを介して受信される光信号を変換した電気信号から周波数調整された電気信号を差し引くことで、送信信号が受信信号に漏れこむ電気クロストークを除去する技術も知られている（例えば、特許文献４参照）。
【先行技術文献】
【特許文献】
【０００７】
【特許文献１】特開２０１０−７２６５１号公報
【特許文献２】特開２００７−２６６６６８号公報
【特許文献３】特開２００７−２２１６３３号公報
【特許文献４】特開２００５−２７１９６号公報
【発明の概要】
【発明が解決しようとする課題】
【０００８】
ところで、上記の特許文献２の技術は、同期のタイミングによるビットエラー率の変動を防ぐことが目的であり、クロストークによる受信感度の劣化を抑えることは可能であるが、一定レベルの受信感度の劣化は生じてしまう。特に、波長多重の場合、送信データも複数あるためこの影響が大きくなると考えられる。また、回路を送信部の数だけ用意しなければならないため、回路サイズが大きくなってしまう。
また、特許文献３の技術では、波長多重の光送受信モジュールの場合、それぞれの受信部での影響を送信部でそれぞれ抑圧しなければならない。したがって、多くの情報処理を行う複雑な回路が必要となり、小型化、高速化の支障となる。
また、特許文献４の技術においても、分岐された一方の電気データ信号を光信号に変換して送信し、分岐された他方の電気データ信号を電気クロストークの周波数特性とほぼ等しい周波数特性を有する周波数特性調整回路が必要となり、回路の複雑化及び回路サイズの大型化を招いてしまう。
【０００９】
本発明の目的は、大型化を招くことなく、送信部と受信部のクロストークを減少させることが可能な光送受信モジュールを提供することにある。
【課題を解決するための手段】
【００１０】
上記課題を解決することのできる本発明の光送受信モジュールは、基板上に複数の光送信器と光受信器を備え、前記複数の光送信器から光ファイバを介して送信される複数の波長の光信号を合波器で合波して送信し、受信した複数の波長の光信号を分波器で分波して光ファイバを介して前記複数の光受信器で受信する光送受信モジュールであって、
前記光送信器と前記合波器の間、及び前記光受信器と前記分波器との間に、余長調整部材が設けられ、前記光ファイバの余長が前記余長調整部材に案内されていることを特徴とする。
【００１１】
本発明の光送受信モジュールにおいて、前記複数の光送信器と前記複数の光受信器とは、互いに前記基板の反対側に配置されていることが好ましい。
【００１２】
本発明の光送受信モジュールにおいて、前記複数の光送信器及び前記複数の光受信器の少なくとも一方は、前記光送信器または前記光受信器に接続された電子デバイスを中心とした円弧状に配置されていることが好ましい。
【００１３】
本発明の光送受信モジュールにおいて、前記余長調整部材は、前記光ファイバを巻き付け可能なガイドローラであることが好ましい。
【発明の効果】
【００１４】
本発明の光送受信モジュールによれば、光送信器と合波器の間、及び光受信器と分波器との間に設けた余長調整部材に光ファイバの余長を案内することで、光送信器、光受信器の位置によらず光送信器から合波器までの各光ファイバの長さ（各光路長）、分波器から光受信器までの各光ファイバの長さ（各光路長）を、弛みなくそれぞれ等しく調整することができる。また、光送信器、光受信器を極力離れた位置に実装することができ、回路の追加や複雑化によるサイズの大型化を招くことなくクロストークを減少させることができる。
【図面の簡単な説明】
【００１５】
【図１】本発明に係る光送受信モジュールを備えた光トランシーバシステムの例を概略的に示す斜視図である。
【図２】本発明の実施形態に係る光送受信モジュールの機能ブロック図である。
【図３】本発明の実施形態に係る光送受信モジュールの内部構造を示す概略斜視図である。
【図４】本発明の実施形態に係る光送受信モジュールの内部構造を示す概略断面図である。
【図５】本発明の実施形態に係る光送受信モジュールの内部構造を示す概略平面図である。
【図６】光送受信モジュールの一般的な内部構造を示す概略平面図である。
【図７】本発明の他の実施形態に係る光送受信モジュールの内部構造を示す概略斜視図である。
【図８】本発明の他の実施形態に係る光送受信モジュールの内部構造を示す概略平面図である。
【発明を実施するための形態】
【００１６】
以下、本発明に係る光送受信モジュールの実施の形態の例を、図面を参照して説明する。
図１に示すように、本実施形態の光送受信モジュール１１Ａは、光トランシーバシステム１２のホストシステム１４に設けられている。
【００１７】
ホストシステム１４は、前面パネル１６、基板１８、レールシステム２０、及び、電気コネクタ２２を備えている。光送受信モジュール１１Ａは、前面パネル１６に設けられた開口部からなるポート１６ａを通して、ホストシステム１４内に搭載される。この挿入の際には、光送受信モジュール１１Ａは、その水平度がレールシステム２０によって維持されつつ、レール間において後方にスライドされる。そして、光送受信モジュール１１Ａの後端の電気プラグ２４が、基板１８上に設けられた電気コネクタ２２に接続される。
【００１８】
光学的な結合に関しては、光送受信モジュール１１Ａは、その前面に二つの光学ポート１１ａを備えている。二つの光学ポート１１ａはそれぞれ光送信、光受信に対応しており、非同期全二重の通信機能を実現する。例えば、１０本の速度１０Ｇｂｐｓの電気信号を、速度２５Ｇｂｐｓの４本の信号に多重化し、この４本の信号を波長がそれぞれ異なる４本の光信号として送信する。受信側では、４本の速度２５Ｇｂｐｓの光信号を受信し、これをデマルチプレクス（波長分離）した後、４個の光受信器で受信し、それぞれ速度２５Ｇｂｐｓの電気信号に変換する。その後、この４本の電気信号を速度１０Ｇｂｐｓの１０本の電気信号に変換してホストシステム１４に伝える。
光送受信モジュール１１Ａは、１２８×７２×１４ｍｍ３の箱型のハウジング２６を備えており、ハウジング２６中に上記の信号多重化、分離の全ての機能を搭載している。
【００１９】
光送受信モジュール１１Ａは、上述したように、その前面に、光レセプタクルと総称される一対の光学ポート１１ａを有している。また、光送受信モジュール１１Ａは、その前面壁１１ｂの両サイドに、フランジ１１ｃを有している。フランジ１１ｃは、ホストシステム１４への固定用のねじ２８を保持している。
【００２０】
光送受信モジュール１１Ａのハウジング２６は、天面部２６ａ及び一対の側壁２６ｂを含んでいる。天面部２６ａは、略平坦に加工されている。これにより、天面部２６ａは、ホストシステム１４の放熱フィンと熱的に密に安定的に接触することができ、放熱効果を高めることが可能である。ハウジング２６は金属製であり、特に、鋳造製とするのが好ましい。ハウジング２６は、強靭性、熱的安定性（良放熱特性）に優れたものとされている。
【００２１】
図２に示すように、光送受信モジュール１１Ａは、ホストシステム１４から伝達された速度１０Ｇｂｐｓの１０本の電気信号を速度２５Ｇｂｐｓの４本の電気信号に変換する電子デバイスである送信ＩＣ（Ｔｘ−ＩＣ）３０と、この送信ＩＣ３０からの４本の電気信号を４本の光信号に変換する光送信器３１とを備えている。
【００２２】
この光送信器３１は、速度２５Ｇｂｐｓの４本の電気信号を光信号に変換するＴＯＳＡ(Transmitter Optical Sub−Assembly)からなるものである。この光送信器３１は、複数の電極とともに一体成形されたＬＦＩ（Lead Frame Inserted）構造を有しており、電極が設けられたデバイス固定面に発光素子が実装されている。
【００２３】
４つの光送信器３１の出射光の波長は互いに異なっており、これらの４つの光送信器３１から出射された光信号は、それぞれ光ファイバ３２によって光マルチプレクサ（Ｏ−Ｍｕｘ）からなる合波器３３へ送られる。それぞれの光ファイバ３２は、例えば、合波器３３及び光送信器３１からそれぞれ引き出された光ファイバを光コネクタで接続したものであり、これらの４本の光ファイバ３２は、同一長さとされている。そして、合波器３３へ送られた光信号は、この合波器３３から光学ポート１１ａに光コネクタによって接続された一本の光ファイバに向けて出射される。
【００２４】
受信側でも、光信号と電気信号の流れる方向は逆であるものの、送信側と同様な機能を実行する。光送受信モジュール１１Ａでは、光学ポート１１ａに光コネクタを介して接続された一本の光ファイバから入射される光信号は、光デマルチプレクサ（Ｏ−ＤｅＭｕｘ）からなる分波器４０に入射する。分波器４０では、この入射光信号をその波長により４本の光信号に分離して出力する。
【００２５】
４本の波長としては、例えば、１２９５ｎｍ〜１３１０ｎｍの間の５ｎｍ間隔の波長の組み合わせが知られている。分波器４０により分離されたそれぞれの光信号は、光ファイバ４１によってそれぞれ対応する光受信器４２に入射する。それぞれの光ファイバ４１は、例えば、分波器４０及び光受信器４２からそれぞれ引き出された光ファイバを光コネクタで接続したもので、これらの４本の光ファイバ４１は、同一長さとされている。
【００２６】
光受信器４２は、入射した光信号を速度２５Ｇｂｐｓの４本の電気信号に変換するＲＯＳＡ（Receiver Optical Sub-Assembly）からなるもので、一般的には、前置増幅器が内蔵されている。この光受信器４２は、複数の電極とともに一体成形されたＬＦＩ構造を有しており、電極が設けられたデバイス固定面に受光素子が実装されている。この光受信器４２で変換された４本の電気信号は、それぞれ電子デバイスである受信ＩＣ（Ｒｘ−ＩＣ）４３に出力される。受信ＩＣ４３では、４本の電気信号を速度１０Ｇｂｐｓの１０本の電気信号に再度変換して、これらの１０本の電気信号を、電気コネクタ２２を介してホストシステム１４に伝える。
【００２７】
次に、光送受信モジュール１１Ａの内部構造について説明する。
図３及び図４に示すように、ハウジング２６は、収容空間５１を有しており、この収容空間５１には、基板５２が収容されている。
図５に示すように、この基板５２には、合波器３３、分波器４０、光送信器３１、光受信器４２、送信ＩＣ３０及び受信ＩＣ４３が実装されている。
【００２８】
合波器３３及び分波器４０は、基板５２における光学ポート１１ａ側である前方側に、幅方向へ並べて実装されており、送信ＩＣ３０及び受信ＩＣ４３は、基板５２におけるほぼ中央付近に、幅方向へ並べて実装されている。光送信器３１と光受信器４２とは、基板５２の前後の中央線ＣＬを挟んで互いに基板５２の反対側に配置されている。
【００２９】
光送信器３１は、平面視で送信ＩＣ３０を中心とした円弧状の位置に、互いに間隔をあけて配置されており、光受信器４２も、平面視で受信ＩＣ４３を中心とした円弧状の位置に、互いに間隔をあけて配置されている。送信ＩＣ３０と光送信器３１及び受信ＩＣ４３と光受信器４２は、それぞれ基板５２に形成された配線パターン５３によって導通されており、これらの配線パターン５３を介して電気信号の伝達が行われる。
【００３０】
また、ハウジング２６の収容空間５１の略中央であって、光送信器３１と合波器３３との間、及び光受信器４２と分波器４０との間には、ガイドローラ（余長調整部材）６１が設けられている。
【００３１】
図４に示すように、ガイドローラ６１は、ハウジング２６の厚さ方向に設けられた支持軸６２によって、基板５２の上方位置において回転可能に支持されている。このガイドローラ６１には、合波器３３と光送信器３１との間の光ファイバ３２及び分波器４０と光受信器４２との間の光ファイバ４１のそれぞれの余長部分が、それぞれ必要長さだけ巻回されている。
【００３２】
このガイドローラ６１の周面には、８本の溝部が形成されており、周面に巻回された光ファイバ３２，４１が、それぞれ周面の溝部に収容され、これにより、互いの光ファイバ３２，４１が絡まないように整列されている。
【００３３】
また、合波器３３及び分波器４０における光ファイバ３２，４１の接続箇所近傍には、支持軸６３によって回転可能に支持された滑車６４が設けられており、これらの滑車６４には、４本の光ファイバ３２及び４本の光ファイバ４１がそれぞれ掛けられている。
さらに、各光送信器３１及び各光受信器４２における光ファイバ３２，４１の接続箇所近傍には、支持軸６５によって回転可能に支持された滑車６６がそれぞれ設けられており、これらの滑車６６には、各光送信器３１及び各光受信器４２に接続された各光ファイバ３２，４１が１本ずつ掛けられている。
【００３４】
ガイドローラ６１及び滑車６４，６６を支持する支持軸６２，６３，６５には、ハウジング２６に天面部２６ａを装着することにより、ガイドローラ６１及び滑車６４，６６の回転を規制する回り止め部材６７が設けられている。
【００３５】
上記構成の光送受信モジュール１１Ａを組み立てるには、まず、合波器３３と光送信器３１との間及び分波器４０と光受信器４２との間を光ファイバ３２，４１でつなぐ。
次に、光ファイバ３２，４１を滑車６４，６６に掛け、余長部分をガイドローラ６１に巻回する。そして、光ファイバ３２，４１が絡まらないように、ガイドローラ６１を回して光ファイバ３２，４１の余長部分を必要な長さだけ巻き取り、光ファイバ３２，４１を弛みなく配線する。これにより、ガイドローラ６１から合波器３３及び分波器４０までの間における複数本の光ファイバ３２，４１を真っ直ぐ配線することができる。
その後、ハウジング２６に天面部２６ａを装着する。このように、天面部２６ａをハウジング２６へ装着すると、回り止め部材６７によって、ガイドローラ６１及び滑車６４，６６の回転が規制される。したがって、組み立て後は、ガイドローラ６１及び滑車６４，６６が振動等によって回転するようなことなく確実に固定され、光ファイバ３２，４１は、ハウジング２６内において、その余長部分がガイドローラ６１に案内されて弛みなく配線された状態に維持される。
【００３６】
ここで、一般的な構造の光送受信モジュールについて説明する。
図６に示すように、一般的な光送受信モジュール１では、基板５２における光学ポート１１ａ側である前方側に、合波器３３及び分波器４０が幅方向へ並べて実装されており、基板５２における電気プラグ２４側である後方側に、送信ＩＣ３０及び受信ＩＣ４３が幅方向へ並べて実装されている。また、光送信器３１は、合波器３３と送信ＩＣ３０との間において、基板５２の幅方向に並べて実装され、また、光受信器４２は、分波器４０と受信ＩＣ４３との間において、基板５２の幅方向に並べて実装されている。
【００３７】
光トランシーバシステムにおける光トランシーバなどの光送受信モジュールは、規格によりハウジング２６の大きさが定められている。このような規格によってハウジング２６内の収容空間５１が制限される状況において、図６に示す実装配置の光送受信モジュール１で１０Ｇｂｐｓを超える波長多重を実現しようとすると、光送信器３１と光受信器４２とが接近してしまい、クロストークが増加し易くなる。このクロストークは、距離の２乗に反比例するため、光送信器３１と光受信器４２との距離が接近すると急激に増加してしまう。
【００３８】
これに対して、上記実施形態に係る光送受信モジュール１１Ａによれば、光送信器３１と合波器３３の間、及び光受信器４２と分波器４０との間に設けたガイドローラ６１により光ファイバ３２，４１の余長を案内することで、光送信器３１、光受信器４２の位置によらず光送信器３１から合波器３３までの各光ファイバ３２の長さ（各光路長）、分波器４０から光受信器４２までの各光ファイバ４１の長さ（各光路長）を、弛みなくそれぞれ等しく調整することができる。また、光送信器３１、光受信器４２を極力離して実装することができ、回路の追加や複雑化によるサイズの大型化を招くことなくクロストークを減少させることができる。
特に、複数の光送信器３１と複数の光受信器４２とを、互いに基板５２の反対側に配置したので、クロストークの減少効果をより高めることができる。
【００３９】
しかも、複数の光送信器３１が送信ＩＣ３０を中心とした円弧状に配置され、また、複数の光受信器４２が受信ＩＣ４３を中心とした円弧状に配置されているので、各光送信器３１と送信ＩＣ３０との間、及び各光受信器４２と受信ＩＣ４３との間における基板５２上の配線パターン５３からなる配線の長さを容易に等しく調整することができるとともに、配線パターン５３を直線状にして最小の長さにすることができる。これにより、各光送信器３１と送信ＩＣ３０との間、及び各光受信器４２と受信ＩＣ４３との間における電気信号の良好な伝送特性を得ることができる。
【００４０】
また、光ファイバ３２，４１の余長の案内及び長さ調整をする余長調整部材として、厚さの薄いガイドローラ６１を用いたので、コストアップを招くことなく、薄型かつ簡易な構造で余長の調整の容易化を図ることができる。
【００４１】
なお、ガイドローラ６１及び滑車６４，６６は、天面部２６ａに設けても良い。この場合、光ファイバ３２，４１を、天面部２６ａに設けたガイドローラ６１及び滑車６４，６６に掛け回して配線してからハウジング２６に対して天面部２６ａを装着することとなる。
【００４２】
なお、上記実施形態では、光ファイバ３２，４１は、それぞれ単心である場合を例示したが、それぞれ４本の光ファイバ３２，４１が並行して配線される合波器３３及び分波器４０とガイドローラ６１との間では、光ファイバ３２，４１をそれぞれ４心のテープ心線としても良い。そして、このようにテープ心線とした光ファイバ３２，４１を、ガイドローラ６１への巻回箇所で単線に分離させ、各光送信器３１及び各光受信器４２へ導くようにしても良い。このようにすると、合波器３３及び分波器４０とガイドローラ６１との間における光ファイバ３２，４１の配線の容易化による配線作業性の向上を図ることができる。また、この場合、ガイドローラ６１の周面の各光ファイバ３２，４１に対応した溝部が不要となり、形状の簡素化によるコストダウンも図ることができる。
【００４３】
次に、他の実施形態に係る光送受信モジュールを説明する。
なお、上記の実施形態の光送受信モジュール１１Ａと同一構造部分は、同一符号を付して説明を省略する。
【００４４】
図７に示すように、光送受信モジュール１１Ｂは、ガイドローラ６１を、送信側と受信側のそれぞれに設けている。
具体的には、この光送受信モジュール１１Ｂは、ハウジング２６の収容空間５１の略中央であって、光送信器３１と合波器３３との間、及び光受信器４２と分波器４０との間に、それぞれガイドローラ６１Ａ，６１Ｂが設けられている。ガイドローラ６１Ａには、合波器３３と光送信器３１との間の光ファイバ３２の余長部分が、それぞれ必要長さだけ巻回されており、ガイドローラ６１Ｂには、分波器４０と光受信器４２との間の光ファイバ４１の余長部分が、それぞれ必要長さだけ巻回されている。
【００４５】
これらのガイドローラ６１Ａ，６１Ｂの周面には、４本の溝部が形成されており、周面に巻回された光ファイバ３２，４１が、それぞれガイドローラ６１Ａ，６１Ｂの周面の溝部に収容され、光ファイバ３２，４１が絡まないように整列されている。
これにより、この光送受信モジュール１１Ｂにおいても、光ファイバ３２，４１は、ハウジング２６内において、その余長部分が、それぞれのガイドローラ６１Ａ，６１Ｂに案内されて長さが調整され、弛みなく配線される。
【００４６】
このように、この光送受信モジュール１１Ｂの場合も、光送信器３１と合波器３３の間、及び光受信器４２と分波器４０との間にガイドローラ６１Ａ，６１Ｂを設けて光ファイバ３２，４１の余長を案内することで、光送信器３１、光受信器４２の位置によらず光送信器３１から合波器３３までの各光ファイバ３２の長さ（各光路長）、分波器４０から光受信器４２までの各光ファイバ４１の長さ（各光路長）を弛みなくそれぞれ等しく調整することができ、また、回路の追加や複雑化によるサイズの大型化を招くことなくクロストークを減少させることができる。
【００４７】
特に、光送信側の光ファイバ３２及び光受信側の光ファイバ４１の余長部分をそれぞれ案内する２つのガイドローラ６１Ａ，６１Ｂを設けたので、光ファイバ３２，４１の配線のさらなる容易化による配線作業性の向上を図ることができる。
【００４８】
次に、さらなる他の実施形態の光送受信モジュールについて説明する。
図８に示すように、光送受信モジュール１１Ｃでは、光送信器３１が、送信ＩＣ３０よりも基板５２の一側縁側において、基板５２の一側縁に沿って整列されて配置されている。同様に、光受信器４２が、受信ＩＣ４３よりも基板５２の他側縁側において、基板５２の他側縁に沿って整列されて配置されている。
なお、このように光送信器３１及び光受信器４２を配置すると、送信ＩＣ３０と各光送信器３１との間隔及び受信ＩＣ４３と各光受信器４２との間隔が不均一となるので、基板５２に形成する配線パターン５３の長さを基板５２上で揃え、電気信号の伝送距離を均一化するのが好ましい。
【００４９】
そして、このように実装された光送信器３１及び光受信器４２における光ファイバ３２，４１の接続箇所近傍に、それぞれ滑車６６が設けられ、基板５２の前方側からの光ファイバ３２，４１が、それぞれ滑車６６に掛けられて光送信器３１及び各光受信器４２へ導かれている。
【００５０】
なお、光送信器３１及び光受信器４２は、光ファイバ３２，４１の接続側が合波器３３及び分波器３４が設けられた基板５２の前方側に向くように平面視で斜めに実装するのが好ましい。このように実装すると、滑車６６に掛けられて光送信器３１及び光受信器４２に導かれる光ファイバ３２，４１の滑車６６における曲げ量を極力少なくすることができ、曲げによる光ファイバ３２，４１での伝送損失を抑えることができる。
【００５１】
この光送受信モジュール１１Ｃでは、合波器３３及び分波器４０における光ファイバ３２，４１の接続箇所近傍に、ガイドローラ６１Ａ，６１Ｂが設けられている。合波器３３と光送信器３１との間の光ファイバ３２は、その余長部分がガイドローラ６１Ａに必要長さだけ巻回され、基板５２の一側縁に沿って配線されて各光送信器３１へ導かれている。分波器４０と光受信器４２との間の光ファイバ４１は、その余長部分がガイドローラ６１Ｂに必要長さだけ巻回され、基板５２の他側縁に沿って配線されて各光受信器４２へ導かれている。
【００５２】
これにより、この光送受信モジュール１１Ｃにおいても、光ファイバ３２，４１は、ハウジング２６内において、その余長部分が、それぞれのガイドローラ６１Ａ，６１Ｂに案内されて長さが調整され、弛みなく配線される。
【００５３】
このように、この光送受信モジュール１１Ｃの場合も、光送信器３１と合波器３３の間、及び光受信器４２と分波器４０との間にガイドローラ６１Ａ，６１Ｂを設けて光ファイバ３２，４１の余長を案内することで、光送信器３１、光受信器４２の位置によらず光送信器３１から合波器３３までの各光ファイバ３２の長さ（各光路長）、分波器４０から光受信器４２までの各光ファイバ４１の長さ（各光路長）を弛みなくそれぞれ等しく調整することができ、また、回路の追加や複雑化によるサイズの大型化を招くことなくクロストークを減少させることができる。
【００５４】
この光送受信モジュール１１Ｃにおいても、光送信側の光ファイバ３２及び光受信側の光ファイバ４１の余長部分をそれぞれ案内する２つのガイドローラ６１Ａ，６１Ｂを設けたので、光ファイバ３２，４１の配線のさらなる容易化による配線作業性の向上を図ることができる。
【００５５】
なお、上記他の実施形態に係る光送受信モジュール１１Ｂ，１１Ｃの場合も、合波器３３とガイドローラ６１Ａとの間及び分波器４０とガイドローラ６１Ｂとの間において、光ファイバ３２，４１を、それぞれ４心のテープ心線とし、ガイドローラ６１Ａ，６１Ｂへの巻回箇所で単線に分離させ、各光送信器３１及び各光受信器４２へ導くようにしても良い。このようにすると、合波器３３とガイドローラ６１Ａとの間及び分波器４０とガイドローラ６１Ｂとの間における光ファイバ３２，４１の配線の容易化による配線作業性の向上を図ることができ、また、ガイドローラ６１Ａ，６１Ｂの周面の各光ファイバ３２，４１に対応した溝部をなくしてコストダウンを図ることができる。
【符号の説明】
【００５６】
１１Ａ，１１Ｂ，１１Ｃ：光送受信モジュール、３０：送信ＩＣ（電子デバイス）、３１：光送信器、３２，４１：光ファイバ、３３：合波器、４０：分波器、４２：光受信器、４３：受信ＩＣ（電子デバイス）、５２：基板、６１：ガイドローラ（余長調整部材）
【図１】
2012063460.tif 000003
【図２】
2012063460.tif 000004
【図３】
2012063460.tif 000005
【図４】
2012063460.tif 000006
【図５】
2012063460.tif 000007
【図６】
2012063460.tif 000008
【図７】
2012063460.tif 000009
【図８】
2012063460.tif 000010